(57)【特許請求の範囲】
【請求項１】
遊技球が打ち出される遊技盤が取り付けられる本体枠と、
前記本体枠に対して前方側に開閉可能であり、前面側に前記本体枠から払い出される遊技球を貯留する貯留皿が設けられた前扉と、
前記本体枠に設けられ、前記遊技盤の下方前面側において開口した払出路を有し、前記前扉の閉鎖時には前記払出路を開放して前記本体枠から払い出される遊技球を通過させて前記貯留皿へと案内する一方、前記前扉の開放時には前記本体枠から払い出される遊技球が前記払出路から流出することを規制する遊技球通過規制装置と、
を備え、
前記遊技球通過規制装置は、前記払出路を通過する遊技球を整列させた状態で通過させる通過路と、前記通過路において遊技球の側部が通過する位置に向かって進退可能なアームとを有しており、前記前扉の閉鎖時において前記前扉からの押圧力によって前記アームが前記通過路から退避することにより前記払出路を開放した状態とし、前記前扉の開放時において前記アームが前記通過路へ進出することにより前記通過路を通過する遊技球の側部を挟持して前記払出路からの流出を規制することを特徴とする遊技機。
【請求項２】
前記アームは、前記通過路の上方において前記通過路の横断方向に架設されるアーム支持体に支持されており、
前記アーム支持体は、前後方向に傾斜したガイド孔に沿ってスライド移動可能であり、前記前扉の開閉に伴って前記ガイド孔に沿ってスライド移動することにより前記アームを進退させることを特徴とする請求項１記載の遊技機。
【請求項３】
前記アーム支持体は、前記払出路の開口端部よりも前方側に突出する押圧部材を有し、前記前扉の閉鎖時に前記押圧部材に作用する前記前扉からの押圧力により前記ガイド孔の後方上部へスライド移動することにより前記アームを前記通過路の後方上部へ退避させ、前記前扉の開放時に前記ガイド孔の前方下部へスライド移動することにより前記アームを前記通過路の前方下部へ進出させることを特徴とする請求項２記載の遊技機。
【請求項４】
前記アーム支持体は、前記ガイド孔に沿ってスライド移動することに伴って前記通過路の横断方向と平行な軸周りに回動して姿勢を変化させるように構成されており、
前記アームは、前記アーム支持体のスライド移動と姿勢変化とによって前記通過路において遊技球の側部が通過する位置に向かって進退することを特徴とする請求項２又は３に記載の遊技機。
【請求項５】
前記アームは、前記通過路の上方において前記通過路の横断方向に架設されるアーム支持体に支持されており、
前記アーム支持体は、所定の回動軸周りに回動可能であり、前記前扉の開閉に伴って前記回動軸周りに回動することにより前記アームを進退させることを特徴とする請求項１記載の遊技機。
【請求項６】
前記アーム支持体は、前記払出路の開口端部よりも前方側に突出する押圧部材を有し、前記前扉の閉鎖時に前記押圧部材に作用する前記前扉からの押圧力により前記回動軸周りの所定方向へ回動することにより前記アームを前記通過路の後方上部へ退避させ、前記前扉の開放時に前記回動軸周りの前記所定方向とは逆の方向へ回動することにより前記アームを前記通過路の前方下部へ進出させることを特徴とする請求項５記載の遊技機。
【請求項７】
前記アームは、可撓性部材によって構成されることを特徴とする請求項１乃至６のいずれかに記載の遊技機。
【発明の詳細な説明】
【技術分野】
【０００１】
本発明は、パチンコ遊技機などの遊技機に関し、特に遊技盤が取り付けられる本体枠に対して開閉可能な前扉に遊技球を貯留する貯留皿が設けられ、該貯留皿に遊技球を払い出すように構成された遊技機に関する。
【背景技術】
【０００２】
パチンコ遊技機などの遊技機において、遊技球が打ち出される遊技盤を備えた本体枠に対して開閉可能な前枠扉を備えたものが一般的である。この前枠扉には、遊技球を貯留する貯留皿が設けられ、本体枠から払い出される遊技球が貯留皿に貯留される。
【０００３】
この種の遊技機では、例えば球詰まりなどが発生したときに、前枠扉が開放され、球詰まりを解消するための作業が行われることがある。このような作業中、本体枠から遊技球が払い出されると、その遊技球が本体枠と前枠扉との間に零れ落ちることがある。これを防止するため、従来は、前枠扉の背面側に突出させた球受部を設けた遊技機が公知である（例えば特許文献１）。この従来の遊技機では、前枠扉が閉鎖された状態のとき、前枠扉の背面側に設けられた球受部が本体枠の球送出口から球流通路の内部へ進入する。この状態では、球流通路を流れてくる遊技球を球受部が受け止め、貯留皿へ案内する。一方、前枠扉が開放されるとき、球受部は球流通路から引き出され、球送出口は開閉扉により閉鎖される。したがって、この従来の遊技機では、前枠扉が本体枠から開放されることに伴い、本体枠に設けられた球送出口を開閉扉によって閉鎖することで遊技球の零れ落ちを防止している。また、この他にも、前枠扉が開放されると、本体枠に設けられた球送出口をプレート状の開閉扉によって閉鎖する例は種々存在する。
【先行技術文献】
【特許文献】
【０００４】
【特許文献１】特開２００８−４５２号公報
【発明の概要】
【発明が解決しようとする課題】
【０００５】
しかしながら、上記従来例のように、前枠扉を開放することにより、本体枠に設けられた球送出口をプレート状の開閉扉によって閉鎖する構成では、開閉扉が球送出口を閉鎖する際に開閉扉と球送出口の周縁部との間で遊技球を挟みこんでしまう可能性がある。この場合、本体枠の球送出口を完全に閉鎖することができず、その隙間を通った遊技球が本体枠と前枠扉との間に零れ落ちる可能性がある。このようにプレート状の開閉扉で本体枠の球送出口を開閉するだけでは遊技球の零れ落ちを完全に防止することは難しい。それ故、このような構成の場合は、開閉扉と球送出口の縁部との間に遊技球を挟み込まないようにするための機構を別途構築する必要がある。
【０００６】
ところが、そのような機構を別途構築すると、球送出口の構造が複雑化したり、部品コストが上昇するという問題がある。
【０００７】
そこで本発明は、比較的簡単な構成で、前扉の開放時に本体枠と前扉との間に遊技球が零れ落ちることを防止できるようにした遊技機を提供するものである。
【課題を解決するための手段】
【０００８】
上記目的を達成するため、請求項１にかかる発明は、遊技機であって、遊技球が打ち出される遊技盤が取り付けられる本体枠と、前記本体枠に対して前方側に開閉可能であり、前面側に前記本体枠から払い出される遊技球を貯留する貯留皿が設けられた前扉と、前記本体枠に設けられ、前記遊技盤の下方前面側において開口した払出路を有し、前記前扉の閉鎖時には前記払出路を開放して前記本体枠から払い出される遊技球を通過させて前記貯留皿へと案内する一方、前記前扉の開放時には前記本体枠から払い出される遊技球が前記払出路から流出することを規制する遊技球通過規制装置と、を備え、前記遊技球通過規制装置は、前記払出路を通過する遊技球を整列させた状態で通過させる通過路と、前記通過路において遊技球の側部が通過する位置に向かって進退可能なアームとを有しており、前記前扉の閉鎖時において前記前扉からの押圧力によって前記アームが前記通過路から退避することにより前記払出路を開放した状態とし、前記前扉の開放時において前記アームが前記通過路へ進出することにより前記通過路を通過する遊技球の側部を挟持して前記払出路からの流出を規制することを特徴とする構成である。
【０００９】
請求項２にかかる発明は、請求項１に記載の遊技機において、前記アームは、前記通過路の上方において前記通過路の横断方向に架設されるアーム支持体に支持されており、前記アーム支持体は、前後方向に傾斜したガイド孔に沿ってスライド移動可能であり、前記前扉の開閉に伴って前記ガイド孔に沿ってスライド移動することにより前記アームを進退させることを特徴とする構成である。
【００１０】
請求項３にかかる発明は、請求項２に記載の遊技機において、前記アーム支持体は、前記払出路の開口端部よりも前方側に突出する押圧部材を有し、前記前扉の閉鎖時に前記押圧部材に作用する前記前扉からの押圧力により前記ガイド孔の後方上部へスライド移動することにより前記アームを前記通過路の後方上部へ退避させ、前記前扉の開放時に前記ガイド孔の前方下部へスライド移動することにより前記アームを前記通過路の前方下部へ進出させることを特徴とする構成である。
【００１１】
請求項４にかかる発明は、請求項２又は３に記載の遊技機において、前記アーム支持体は、前記ガイド孔に沿ってスライド移動することに伴って前記通過路の横断方向と平行な軸周りに回動して姿勢を変化させるように構成されており、前記アームは、前記アーム支持体のスライド移動と姿勢変化とによって前記通過路において遊技球の側部が通過する位置に向かって進退することを特徴とする構成である。
【００１２】
請求項５にかかる発明は、請求項１に記載の遊技機において、前記アームは、前記通過路の上方において前記通過路の横断方向に架設されるアーム支持体に支持されており、前記アーム支持体は、所定の回動軸周りに回動可能であり、前記前扉の開閉に伴って前記回動軸周りに回動することにより前記アームを進退させることを特徴とする構成である。
【００１３】
請求項６にかかる発明は、請求項５に記載の遊技機において、前記アーム支持体は、前記払出路の開口端部よりも前方側に突出する押圧部材を有し、前記前扉の閉鎖時に前記押圧部材に作用する前記前扉からの押圧力により前記回動軸周りの所定方向へ回動することにより前記アームを前記通過路の後方上部へ退避させ、前記前扉の開放時に前記回動軸周りの前記所定方向とは逆の方向へ回動することにより前記アームを前記通過路の前方下部へ進出させることを特徴とする構成である。
【００１４】
請求項７にかかる発明は、請求項１乃至６のいずれかに記載の遊技機において、前記アームは、可撓性部材によって構成されることを特徴とする構成である。
【発明の効果】
【００１５】
本発明によれば、比較的簡単な構成でありながら、前扉が開放された時には、本体枠と前扉との間に遊技球が零れ落ちることを確実に防止することができるようになる。
【図面の簡単な説明】
【００１６】
【図１】遊技機の外観構成の一例を示す斜視図である。
【図２】前扉を開放した状態の遊技機を示す斜視図である。
【図３】遊技機の本体枠に設けられる遊技球通過規制装置の一構成例を示す外観斜視図である。
【図４】遊技球通過規制装置の分解斜視図である。
【図５】遊技球通過規制装置を構成する本体部の内部構造を示すために一部を切り欠いた斜視図である。
【図６】本体部に形成された払出路を遊技球が通過していく場合の遊技球の通過状態を示す図である。
【図７】前扉の開閉に伴って変化するアーム支持体の状態を示す拡大断面図である。
【図８】アーム支持体がガイド孔の後端部まで移動した状態における遊技球通過規制装置の側面図および断面図である。
【図９】アーム支持体がガイド孔の前端部まで移動した状態における遊技球通過規制装置の側面図および断面図である。
【図１０】遊技球通過規制装置を前方側から見た正面図である。
【図１１】遊技球通過規制装置のアーム支持体が設けられた部分を拡大して示す断面図である。
【図１２】前扉の開放時にアームが遊技球を挟持している状態で多くの遊技球が払い出された状態の一例を示す図である。
【図１３】前扉を閉鎖した状態における遊技機の下部構成を示す概略断面図である。
【図１４】前扉を開放した状態における遊技機の下部構成を示す概略断面図である。
【図１５】第２の実施の形態における遊技球通過規制装置の分解斜視図である。
【図１６】第２の実施の形態において前扉の開閉に伴って変化するアーム支持体の状態を示す拡大断面図である。
【発明を実施するための形態】
【００１７】
以下、本発明の好ましい実施形態について図面を参照しつつ詳細に説明する。尚、以下に説明する実施形態において互いに共通する部材には同一符号を付しており、それらについて重複する説明は省略する。
【００１８】
（第１の実施の形態）
図１は、本発明における遊技機１の外観構成の一例を示す斜視図である。ここで、図１には、他の図と共通するＸＹＺ三次元座標系を示している。Ｘ軸は遊技機１に対して水平な左右横方向を示しており、Ｙ軸は遊技機１に対して水平な前後方向を示している。またＺ軸は遊技機１に対して垂直な上下縦方向（高さ方向）を示している。
【００１９】
遊技機１は、遊技者の指示操作により打ち出される遊技球が各種入賞口に入球すると賞球を払い出すように構成された弾球式の遊技機である。この遊技機１は、遊技ホール（店舗）の島設備に取り付けられる本体枠２と、その本体枠２に支持され、本体枠２の前方側に開閉可能に取り付けられた前扉３とを備えている。本体枠２の左側には、前扉３を枢支するヒンジ４が設けられ、前扉３はこのヒンジ４によって規定されるＺ軸と平行な回動軸回りに回動することにより本体枠２の前面側を開放したり、閉鎖したりすることができる。
【００２０】
また本体枠２の背面側には、遊技機１を制御するための各種制御基板から成る制御ユニット１０が設けられている。その制御ユニット１０の一部に、遊技球を払い出すための払出装置１１が含まれる。この払出装置１１は、例えば遊技者が投入した金額に応じて遊技球の払い出し行うと共に、遊技の進行中は遊技球が各種入賞口に入球することによってその入賞口に応じて所定球数の遊技球を賞球として払い出す。尚、図例では、払出装置１１は本体枠２の背面側の上部に設けられる場合を例示しているが、これに限られない。例えば、払出装置１１を取り付ける位置は本体枠２の背面側の中央部であっても構わない。このような本体枠２の前面側には、遊技球が打ち出される遊技領域を備えた遊技盤１２が取り付けられる（図２参照）。
【００２１】
前扉３は、その中央に、本体枠２に取り付けられる遊技盤１２の前方に位置する透明ガラス板５を備えている。また前扉３は、透明ガラス板５の下方に、前扉３の前方側に張り出した棚状の張出部６が設けられている。この張出部６の右下部には、遊技者が操作するハンドルレバー９が設けられている。遊技者がこのハンドルレバー９を右回り方向（時計回り方向）に回転操作すると、その操作角度に応じた打球力で遊技球が遊技盤１２の遊技領域に所定の時間間隔で打ち出されるようになっている。
【００２２】
また張出部６の上面には、本体枠２に設けられた払出装置１１から払い出される遊技球を貯留する貯留皿７が設けられる。この貯留皿７の底部は右側に下降傾斜しており、ハンドルレバー９の後方位置に設けられた図示しない遊技球発射機構に遊技球を案内する。また貯留皿７の左側には、本体枠２から払い出される遊技球を受け入れて貯留皿７に導くための案内路８が設けられている。この案内路８は前扉３の背面側に連通形成されている。
【００２３】
さらに張出部６の上面には、遊技者が操作するボタン６ａが設けられている。このボタン６ａは、例えば遊技機１において遊技の進行に伴って行われる各種演出を通常の演出から別の演出に変化させるためのボタンである。
【００２４】
尚、本実施形態では、前扉３に透明ガラス板５が設けられる場合を例示しており、この前扉３が本体枠２の前面側を一体的に覆うようになっているが、これに限られるものではない。例えば貯留皿７を備える前扉３と、透明ガラス板５を備える前枠扉とを別構成にしても良い。
【００２５】
図２は、前扉３を開放した状態の遊技機１を示す斜視図である。本体枠２の前面側には、略矩形状の遊技盤１２が取り付けられており、この遊技盤１２の前面側にはレール部材によって囲まれた略円形の遊技領域が形成されている。このような遊技領域には、図示しない各種入賞口やその他の部材が配置されている。通常、遊技が行われるときには、前扉３が本体枠２に対して閉じられた状態となっており、遊技者は透明ガラス板５を介して遊技領域を転動していく遊技球を視認しながら遊技を楽しむ。このような遊技中に、例えば遊技領域に打ち出された遊技球が球詰まりしたり、或いは、払出装置１１によって払い出された遊技球が球詰まりしたりすると、図２に示すように前扉３が開放され、球詰まりを解消するための作業が行われる。
【００２６】
本体枠２には、遊技盤１２の下方位置に、払出装置１１から払い出される遊技球を通過させたり、遊技球の通過を規制したりするための遊技球通過規制装置２０が設けられている。この遊技球通過規制装置２０は、図１に示すように前扉３が本体枠２に対して閉鎖された状態のとき、本体枠２から払い出される遊技球を通過させて前扉３の貯留皿７へと案内する。また図２に示すように前扉３が開放された状態のとき、遊技球通過規制装置２０は、本体枠２から払い出される遊技球の通過を規制し、遊技球が流出しないようにすることで本体枠２と前扉３との間に遊技球が零れ落ちることを防止する。
【００２７】
図２に示すように、前扉３の背面側に設けられる案内路８は、その底部および側壁部が上部壁８ａよりも前扉３の背面側に張り出している。そのため、前扉３を閉鎖すると、前扉３の背面側において案内路８の底部が遊技球通過規制装置２０の下方に進入すると共に、案内路８の側壁部が遊技球通過規制装置２０の側方に進入する。そして案内路８の上部壁８ａが遊技球通過規制装置２０の一部と接触した状態となり、その一部を押圧する。この押圧力により、遊技球通過規制装置２０は、本体枠２から払い出される遊技球を通過させる状態となり、本体枠２から払い出される遊技球は案内路８を通って貯留皿７に流出する。
【００２８】
これに対し、前扉３を開放していくと、案内路８の上部壁８ａが遊技球通過規制装置２０の一部と接触しなくなる。これにより、遊技球通過規制装置２０は、本体枠２から払い出される遊技球の通過を規制する状態となり、遊技球は遊技球通過規制装置２０から流出しなくなる。
【００２９】
図３は、本体枠２に設けられる遊技球通過規制装置２０の一構成例を示す斜視図である。また図４は、遊技球通過規制装置２０の分解斜視図である。この遊技球通過規制装置２０は、側面視略Ｌ字状の本体部２１と、この本体部２１の前方側上部に設けられた動作機構２５とを備えている。
【００３０】
本体部２１には、その内部に払出装置１１によって払い出される遊技球Ｂを案内する払出路２３が形成されている。この本体部２１の上端部は、例えば遊技盤１２の背面側を通って払出装置１１に接続される。ただし、遊技盤１２の背面側には本体部２１とは異なる部材によって払出路が形成されていても良い。この場合、本体部２１の上端部はその異なる部材の下端部に接続され、それぞれの払出路が連通した状態となる。したがって、払出装置１１が遊技球Ｂを払い出すと、その遊技球Ｂは、本体部２１に形成された払出路２３に流入する。払出路２３に流入した遊技球Ｂは、略Ｌ字状に折れ曲がった部分でその進行方向が変わり、本体枠２の前方側に向かって転動していくようになる。
【００３１】
本体部２１の前方側（−Ｙ側）の端部には、遊技盤１２の下方前面側において開口する払出口２２が設けられている。つまり、本体部２１によって形成される払出路２３は、遊技盤１２の下方前面側に開口している。この払出口２２は、払出装置１１が払い出した遊技球Ｂを前扉３に向けて流出させるための開口部である。また本体部２１は、この払出口２２の近傍において払出路２３を構成する左右側壁の上部が外側に広がり、更に上側に延設されて構成される支持部２４を有している。この支持部２４は、動作機構２５を支持するためのものである。
【００３２】
図５は、本体部２１の内部構造を示すために一部を切り欠いた斜視図である。図５に示すように、払出路２３の底部は支持部２４の近傍上流側（後方側）において払出口２２に向かって下降傾斜した傾斜面４４となっている。その傾斜面４４よりも下流側の底部には、払出口２２に向かって延びるガイドレール２８が左右横方向に所定間隔で形成されている。このガイドレール２８は、支持部２４の内側を払出口２２に向かって通過していく遊技球Ｂを整列させた状態で通過させていくための通過路２９を規定するものである。本実施形態では、支持部２４の下に位置する拡幅していない左右側壁の間に３本のガイドレール２８が等間隔で形成されており、合計４つの通過路２９が形成されている。尚、本実施形態では、払出路２３の底部からガイドレール２８を上方に突出させることにより４つの通過路２９を形成しているが、払出路２３の底部に凹溝を形成することにより通過路２９を形成しても良い。
【００３３】
図６は、本体部２１から遊技球Ｂが流出していく場合の遊技球の通過状態を示す図である。図６に示すように本体部２１の払出路２３を移動してくる遊技球Ｂは、傾斜面４４を下るときにガイドレール２８によって区成されたいずれか一つの通過路２９に振り分けられる。その後、遊技球Ｂは振り分けられた通過路２９に沿って払出口２２に向かって移動していき、最終的に払出口２２から流出する。このように本体部２１は、払出装置１１によって払い出された遊技球Ｂが払出路２３に沿って移動していくとき、払出口２２の近傍ではガイドレール２８によって規定される複数の通過路２９のうちのいずれかを通るように構成される。
【００３４】
また図４に示すように、本体部２１の上面には、ガイドレール２８の上方において前後方向へ延びるスリット２７が形成されている。同様のスリット２７は、支持部２４の下側に位置する拡幅していない左右側壁の上方にも設けられている。したがって、本実施形態では通過路２９の上方に相当する本体部２１の上面に、合計５つのスリット２７が平行に所定間隔で設けられている。
【００３５】
これらスリット２７の左右両側には、支持部２４を構成する左右側壁が立設しており、それら左右側壁に左右一対のガイド孔２６が設けられている。このガイド孔２６は、前後方向に傾斜した長孔として形成される。すなわち、ガイド孔２６は、前端部と後端部との間に高低差があり、前方から後方に向かって上昇傾斜した長孔となっている。
【００３６】
また図４に示すように払出口２２の上部には、前方側に開口した開口部３０が設けられる。この開口部３０は、本体部２１の上面と、支持部２４を構成する左右側壁と、その左右側壁の上半部に接続された正面壁３０ａとによって区成された開口となっている。この開口部３０の高さ寸法は、本体部２１の上面と正面壁３０ａの下端部とによって規定される。そして正面壁３０ａの下端部は、ガイド孔２６の前端部と後端部との間に設けられる高低差のほぼ中間位置に位置しており、ガイド孔２６の後端部の高さ位置よりも低く、かつ、ガイド孔２６の前端部の高さ位置よりも高い位置に形成される。
【００３７】
動作機構２５は、ガイド孔２６に挿通される軸部材３１と、その軸部材３１に遊嵌されるアーム支持体３４とによって構成される。アーム支持体３４は、筒状本体の内側に形成された孔３４ａに軸部材３１を遊挿可能であり、筒状本体の側面に対して、平板状の押圧部材３３と複数のアーム３５とが形成された構成である。押圧部材３３は、アーム支持体３４の長手方向に沿って設けられ、筒状本体の側面から外側に向けて所定長さ突出するように設けられている。複数のアーム３５は、アーム支持体３４の長手方向に沿って所定間隔毎に設けられており、押圧部材３３から筒状本体の周方向に向かって所定角度回転した同一の位置に形成されている。アーム支持体３４において、図４に示すように押圧部材３３が正面側（前方側）を向くとき、複数のアーム３５は下方に向くように配置されている。
【００３８】
本実施形態ではアーム支持体３４に設けられるアーム３５の数は合計５つである。これらアーム３５を設ける間隔は、本体部２１の上面に形成されたスリット２７の間隔と同じである。したがって、アーム支持体３４が本体部２１の支持部２４に取り付けられると、それら複数のアーム３５は、それぞれ本体部２１の上面に設けられたスリット２７から本体部２１の内側に形成された通過路２９に進入した状態となる。すなわち、これらアーム３５は、通過路２９において遊技球の側部が通過する位置に向かって進入した状態となる。
【００３９】
また各アーム３５は、アーム支持体３４から所定長さの位置に屈曲部を有しており、アーム支持体３４が本体部２１の支持部２４に取り付けられた状態でその先端が払出口２２に向くようになっている。このような屈曲部はアーム３５に対して少なくとも１つであれば良いが、本実施形態ではアーム３５の２カ所に屈曲部が設けられており、側面視略Ｌ字状のアームになっている。
【００４０】
また各アーム３５は可撓性を有しており、アーム３５の先端部に作用する押圧力によって一定の範囲で撓むようになっている。例えば、アーム３５は可撓性を有する合成樹脂によって形成される。この場合、アーム３５は、アーム支持体３４と一体的に樹脂形成されたものであっても良いし、またアーム支持体３４とは別体で形成されてアーム支持体３４から離脱しないように取り付けられたものであっても良い。
【００４１】
尚、本実施形態では、５つのアーム３５の総重量と押圧部材３３の重量とを比較した場合、５つのアーム３５の総重量の方が重くなるように設計される。これを実現するために、例えば各アーム３５の基端部などに錘などを取り付けても良い。
【００４２】
このようなアーム支持体３４を本体部２１の支持部２４に取り付ける際には、本体部２１の上方から、各アーム３５をスリット２７に進入させつつ、押圧部材３３の先端部を開口部３０から前方側に突き出させた状態にする。その状態で、アーム支持体３４の孔３４ａに軸部材３１が挿入される。この軸部材３１の両端部には、留め具３２を装着するための環状溝が形成されている。アーム支持体３４の孔３４ａに挿入された軸部材３１は、その両端がガイド孔２６に挿通され、ガイド孔２６の外側において両端の環状溝に留め具３２が装着される。尚、留め具３２は、軸部材３１の抜け止め用の部材であり、ガイド孔２６における軸部材３１の位置を固定するためのものではない。
【００４３】
上記のようにしてアーム支持体３４が本体部２１の支持部２４に取り付けられることにより、アーム支持体３４は、通過路２９の上方において通過路２９を横断する方向に架設された状態となる。またアーム支持体３４は、軸部材３１に対して遊転可能な状態に取り付けられる。また軸部材３１はガイド孔２６に沿って前後方向にスライド移動可能となるので、アーム支持体３４は軸部材３１のスライド移動に伴い、ガイド孔２６に沿って前後方向にスライド移動可能な状態となる。尚、軸部材３１がガイド孔２６に沿ってスライド移動する際の摩擦抵抗などは極力小さくなるように設計されている。
【００４４】
このように動作機構２５が本体部２１の支持部２４に取り付けられると、図３に示すように、アーム支持体３４に設けられた押圧部材３３が開口部３０から前方側に所定長さ突出した状態となる。この状態は、前扉３が開放された状態に相当する。このとき、押圧部材３３を後方側に押圧する力は作用しないので、軸部材３１には、軸部材３１とアーム支持体３４との総重量による重力のみが作用する。そのため、軸部材３１はガイド孔２６の低い位置である前端部に移動した状態となり、押圧部材３３はその先端部を開口部３０から最も突出させた状態となる。またこのとき、アーム支持体３４に支持されたアーム３５は、その先端部を最も下降させた状態となる。
【００４５】
この状態から前扉３が閉鎖されていくと、前扉３の背面側に設けられた案内路８の上部壁８ａが押圧部材３３と接触し、前扉３が押圧部材３３を遊技機１の背面側に向けて押圧する。そのため、アーム支持体３４は、この押圧力を受けて軸部材３１をガイド孔２６に沿って後方側にスライド移動させると共に、それ自体もガイド孔２６に沿って後方側にスライド移動する。アーム支持体３４は、ガイド孔２６の後端部に向かって移動していくことに伴い、その高さ位置が次第に高くなっていく。これに伴い、アーム支持体３４に支持されるアーム３５は、次第に通過路２９の上方側に退避していく。
【００４６】
そして前扉３が本体枠２の前面側を完全に閉鎖すると、押圧部材３３は前扉３によって開口部３０よりも後方側に最も押し込まれた状態となり、軸部材３１はガイド孔２６の後端部近傍に達する。このとき、アーム支持体３４は、スライド移動する範囲内において最高位置に到達する。そしてアーム支持体３４に支持されたアーム３５は、その先端部を最も上昇させた状態となる。
【００４７】
図７は、前扉３の開閉に伴って変化するアーム支持体３４の状態を示す拡大断面図である。図７（ａ）は、前扉３が閉鎖された状態を示しており、図７（ｂ）は、前扉３が開放された状態を示している。図７（ａ）に示すように、前扉３が閉鎖された状態ではアーム支持体３４は軸部材３１をガイド孔２６の後方側上部へと押し上げる。このとき、アーム３５の先端部は通過路２９において後方側の上部に退避した状態となる。この状態は、遊技球が通過路２９を通過可能な状態である。
【００４８】
一方、図７（ｂ）に示すように、前扉３が開放された状態ではアーム支持体３４はその重さにより、軸部材３１をガイド孔２６の前方側下部へと移動させる。このとき、アーム３５の先端部は通過路２９において前方側の下部に進出した状態となる。この状態は、遊技球が通過路２９を通過することを禁止する状態となる。
【００４９】
したがって、本実施形態では、ガイド孔２６における後方側上部の位置が遊技球の通過を許容する位置となり、前方側下部の位置が遊技球の通過を禁止する位置となっている。そしてアーム支持体３４および軸部材３１が、前扉３の開閉に伴って、ガイド孔２６の後方側上部の位置と前方側下部の位置との間をスライド移動することで、遊技球が通過路２９を通過することを許容したり、或いは禁止したりすることが可能である。
【００５０】
このようにアーム支持体３４は、前扉３が本体枠２に対して開閉されることに伴い、アーム３５の先端部を上下動させることにより、アーム３５を遊技球が通過する通過路２９に向かって進退させるように構成されている。尚、アーム３５が通過路２９に向かって進退するとは、通過路２９を通過する遊技球の側部に向かって進退することであり、このことは即ち、アーム３５の先端部とガイドレール２８の上端部との距離が変動することを意味している。
【００５１】
図８は、アーム支持体３４がガイド孔２６の後端部まで移動した状態における遊技球通過規制装置２０の全体的な側面図および断面図である。前扉３が閉鎖された状態では、図８（ａ）に示すように、押圧部材３３は前扉３によって後方側に押し込まれた状態となる。そして軸部材３１はガイド孔２６の後端部に位置している。このとき図８（ｂ）に示すように、アーム支持体３４は、軸部材３１と同様、ガイド孔２６の後端部近傍の上昇した位置にある。そのため、アーム支持体３４に支持されるアーム３５は、その先端部をガイドレール２８から上方側に退避させた状態となる。
【００５２】
また上述したように、正面壁３０ａの下端部はガイド孔２６の前端部と後端部との間に設けられる高低差のほぼ中間位置に位置しており、押圧部材３３の上面が正面壁３０ａの下端部に押さえられた状態となっている。そのため、アーム支持体３４は、ガイド孔２６の後端部近傍に向かって移動するとき、押圧部材３３を下降傾斜させるように軸部材３１に対して回動することによりその姿勢を変化させる。このようなアーム支持体３４の回動によってアーム３５も一体的に回動するので、アーム３５の先端部は、ガイド孔２６の高低差以上に上昇する。すなわち、アーム支持体３４がガイド孔２６を後方側に向かってスライド移動する際、アーム支持体３４は上昇する共に、軸部材３１を中心に回動して姿勢を変化させるので、アーム３５の先端部は、軸部材３１の上昇量以上に持ち上げられるようになる。したがって、ガイド孔２６の長さを比較的短くしても、アーム３５の先端部は、通過路２９において遊技球の側部が通過する位置から退避した状態となる。
【００５３】
この状態で遊技球Ｂが払出路２３に流入すると、その遊技球Ｂはガイドレール２８によって区成された通過路２９を通るとき、図８（ｂ）に示すようにアーム３５の先端部とは接触することなく、通過路２９を通過する。そのため、遊技球Ｂは、ガイドレール２８によって区成された通過路２９を通って払出口２２から流出する。このように前扉３が閉鎖された状態のとき、払出路２３に流入する遊技球Ｂは、遊技球通過規制装置２０の払出口２２から流出して前扉３の案内路８へと導かれる。その遊技球Ｂは、案内路８を通り、前扉３の前面側に設けられた貯留皿７に向かって転動していく。
【００５４】
この状態で前扉３が開放されると、遊技球通過規制装置２０は、図９に示すような状態となる。図９は、アーム支持体３４がガイド孔２６の前端部まで移動した状態における遊技球通過規制装置２０の全体的な側面図および断面図である。前扉３が開放された状態では、図９（ａ）に示すように、押圧部材３３はその先端を開口部３０から前方側に所定長さ突出させた状態となる。つまり、押圧部材３３には前扉３による押圧力が作用しないため、軸部材３１は重力によってガイド孔２６の下方位置である前方側に向かってスライド移動する。そのため、押圧部材３３は軸部材３１のスライド移動に伴い前方側に突出した状態となる。このとき、軸部材３１は、ガイド孔２６の前端部に位置している。またこのとき、図９（ｂ）に示すように、アーム支持体３４は、軸部材３１と同様、ガイド孔２６の前端部近傍の下降した位置にある。そのため、アーム支持体３４に支持されるアーム３５は、その先端部をガイドレール２８に向かって下方に進出させた状態となる。
【００５５】
また図９（ｂ）に示す状態でも、押圧部材３３の上面は、正面壁３０ａの下端部に押さえられた状態となっている。そのため、アーム支持体３４は、ガイド孔２６の前端部近傍に向かって移動するとき、押圧部材３３を略水平状態とするように軸部材３１に対して回動してその姿勢を変化させる。この場合の回動方向は、アーム支持体３４がガイド孔２６の後端部に向かって移動する場合と逆の方向になる。このようなアーム支持体３４の回動によってアーム３５も一体的に回動するので、アーム３５の先端部は、ガイド孔２６の高低差以上に下降する。すなわち、アーム支持体３４がガイド孔２６を前方側に向かってスライド移動する際、アーム支持体３４は、ガイド孔２６の高低差分だけ下降する共に、軸部材３１を中心に回動して姿勢を変化させるので、アーム３５の先端部は、軸部材３１の下降量以上に持ち下げられるようになる。この状態において、アーム３５の先端部は、通過路２９において遊技球の側部が通過する位置に進出した状態となる。つまり、この状態ではアーム３５の先端部がガイドレール２８に向かって最も進出した状態となり、アーム３５の先端部とガイドレール２８との距離が最小となる。
【００５６】
この状態で遊技球Ｂが払出路２３に流入すると、その遊技球Ｂは、ガイドレール２８によって区成された通過路を通るとき、図９（ｂ）に示すようにアーム３５の先端部に接触する。このとき、アーム支持体３４は、軸部材３１を中心としてアーム３５の先端部を前方側に持ち上げる方向には回動しないように規制されているので、アーム３５は前方側に押し上げられることはない。そのため、アーム３５の先端部は、通過路２９を通過する遊技球Ｂの左右両側部を挟持する。したがって、前扉３が開放された状態では、払出路２３に流入する遊技球Ｂは、遊技球通過規制装置２０から流出することはなく、アーム３５によって挟持された状態となって停止する。
【００５７】
図１０は、遊技球通過規制装置２０を前方側から見た正面図であり、（ａ）は前扉３が閉鎖された状態（すなわち、遊技球Ｂが通過路２９を通過していく状態）を、（ｂ）は前扉３が開放された状態（すなわち、遊技球Ｂが通過路２９を通過せずに挟持される状態）を示している。図１０（ａ）に示すように、前扉３が閉鎖されている状態では、アーム３５の先端部は、通過路２９の後方上部へ退避した状態となっている。そのため、この状態で遊技球Ｂが通過路２９を通過するとき、アーム３５の先端部が遊技球Ｂの側部と接触することはない。それ故、遊技球Ｂは、通過路２９を通過して前方側に流出する。
【００５８】
これに対し、図１０（ｂ）に示すように前扉３が開放された状態では、アーム３５の先端部は、通過路２９の前方下部へ進出した状態となっている。すなわち、アーム３５の先端部は、通過路２９において遊技球Ｂの側部が通過する位置に進出している。そのため、この状態で遊技球Ｂが通過路２９を通過するとき、遊技球Ｂの左右両側部がアーム３５の先端部によって挟持される。それ故、遊技球Ｂは、遊技球通過規制装置２０から流出しないようになる。
【００５９】
このように遊技球通過規制装置２０は、前扉３の開放時において、アーム３５が遊技球Ｂの通過する通過路２９に向かって進出した状態となることにより、通過路２９を通過する遊技球Ｂの左右両側部を挟持する構成である。この構成は、従来のようなプレート状の開閉扉を開閉する場合と比較すると、遊技球を挟みこんでしまう可能性がない。それ故、本実施形態の遊技球通過規制装置２０は、比較的簡単な構成でありながら、前扉３の開放時には、本体枠２と前扉３との間に遊技球が零れ落ちてしまうことを良好に防止することが可能である。また前扉３の閉鎖時には、払出装置１１によって払い出される遊技球を良好に通過させて前扉３に設けられた貯留皿７へと導くことができる。
【００６０】
次に図１１は、遊技球通過規制装置２０の前方部分（特にアーム支持体３４が設けられた部分）を拡大した断面図である。例えば、前扉３が閉鎖された状態から開放されるとき、アーム支持体３４は、図中破線で示す状態から実線で示す状態へとスライド移動する。このとき、アーム３５の先端部は、図中矢印Ｆ１で示すように、通過路２９の後方上部から前方下部に向かって移動していく。このときアーム３５は、通過路２９の左右両側部を移動する。そのため、アーム３５は、挟持しようとする遊技球Ｂの前又は後に通過路２９を通過する遊技球と干渉することなく、通過路２９の後方側から前方側に向かってスムーズに降下していく。すなわち、アーム３５が移動する経路は、他の遊技球と干渉を生じ難い位置に設けられている。
【００６１】
これに対し、仮にアームが遊技球の正面側最前部を押さえることによって遊技球の流出を防止するものである場合、アームの移動経路は通過路２９のほぼ中央に設けられるため、アームはその移動中に通過路２９を通過している遊技球と干渉してしまう可能性があり、正常な降下位置まで降下しないことがあるので好ましくない。
【００６２】
よって本実施形態では、アーム３５が遊技球Ｂの左右両側部を挟持する構成とすることにより、アーム３５を前方側から後方側に向かってスムーズに降下させることができると共に、遊技球を挟持することが可能な位置まで正常にアーム３５を降下させることができる。
【００６３】
また、図中矢印Ｆ１で示すように、アーム３５が通過路２９の後方側から前方側に向かって降下してくるので、前扉３が開放されるタイミングで遊技球Ｂが通過路２９を通過していると、アーム３５はその遊技球Ｂを払出口２２に向けて押し出すように作用する。そのため、アーム３５の先端部が通過路２９を通過中の遊技球Ｂと咬み合って正常に下降しなくなることを良好に防止することができる。尚、アーム３５によって押し出される遊技球Ｂは、遊技球通過規制装置２０の下方から退出しようとしている案内路８に受け入れられるので、本体枠２と前扉３との間に遊技球が零れ落ちてしまうことはない。
【００６４】
このように本実施形態の遊技球通過規制装置２０は、前扉３の開放時に、アーム３５を遊技球の通過路２９に対して後方側上部位置から前方側下部位置に向かって降下させていく構成である。そしてこのような構成によれば、アーム３５の先端部を、より確実に、通過路２９において遊技球Ｂの側部が通過する位置に進出させることが可能である。それ故、より一層良好に遊技球の零れ落ちを防止することが可能な構成となっている。
【００６５】
また本実施形態のアーム３５は、上述したように可撓性部材によって構成されている。そのため、通過路２９において遊技球Ｂを挟持する位置はアーム３５の先端部がガイドレール２８に最も接近した位置に限られず、アーム３５の先端部が撓むことによってある程度の範囲内で遊技球Ｂを挟持することが可能である。
【００６６】
図１２は、前扉３の開放時にアーム３５が遊技球Ｂを挟持している状態で多くの遊技球が払い出された状態の一例を示す図である。図１２に示すように、アーム３５が遊技球Ｂの側部を挟持している状態のとき、本体枠２から多くの遊技球が払い出されると、遊技球Ｂの側部を挟持するアーム３５には、それら多くの遊技球による押圧力が作用する。このようなとき、アーム３５はその可撓性によって撓むことにより、上流側からの押圧力を吸収することができる。そしてアーム３５が撓んだ状態でも遊技球Ｂを挟持した状態を保持することができるので、本体枠２から多くの遊技球が払い出された場合でも遊技球の零れ落ちを良好に防止することができる。
【００６７】
また図１２に示すようにアーム３５が挟持する遊技球Ｂの上流側に多くの遊技球が滞留しているとき、前扉３が閉鎖されることによってアーム３５が通過路２９の後方上部へ退避する際にもアーム３５が撓む。つまり、前扉３が閉鎖されることによって押圧部材３３が後方側に向かって押圧されると、アーム３５は遊技球Ｂを挟持した状態で撓みながら通過路２９の後方側上部へと移動していき、遊技球Ｂの挟持状態を解放することができる。このようにアーム３５が可撓性を有することにより、前扉３の閉鎖時にはアーム３５を正常に通過路２９の後方側上部へ退避させることができるので、通過路２９の上流側に滞留していた遊技球は前扉３の閉鎖に伴って払出口２２から流出するようになる。
【００６８】
したがって、本実施形態の遊技球通過規制装置２０は、遊技球Ｂの左右両側部を挟持するアーム３５が可撓性を有するので、アーム３５が遊技球Ｂを挟持した状態で多くの遊技球が払い出された場合でも、遊技球の零れ落ちを防止することが可能であり、また前扉３の閉鎖時には遊技球Ｂの挟持状態を正常に解放することが可能である。
【００６９】
図１３は、前扉３を閉鎖した状態における遊技機１の下部構成を示す概略断面図である。また図１４は、前扉３を開放した状態における遊技機１の下部構成を示す概略断面図である。
【００７０】
前扉３が本体枠２の前面側を閉鎖した状態のとき、図１３に示すように、遊技球通過規制装置２０は、押圧部材３３が前扉３の背面側にある上部壁８ａによって押圧されるため、軸部材３１はガイド孔２６を後方側上部へとスライド移動する。これに伴い、アーム支持体３４は、後方側上部へスライド移動すると共に軸部材３１を中心に回動するので、アーム３５はその先端部を通過路２９の上部へ退避させた状態となる。そのため、この状態では、アーム３５が遊技球Ｂの通過を規制することはなく、払出装置１１によって払い出された遊技球Ｂは払出路２３を通過して、前扉３の貯留皿７へと導かれる。
【００７１】
これに対し、前扉３が本体枠２の前面側を開放した状態のとき、図１４に示すように、遊技球通過規制装置２０は、押圧部材３３が前扉３の背面側にある上部壁８ａと接触しなくなる。そのため、軸部材３１は、重力によってガイド孔２６を前方側にスライド移動し、アーム３５の先端部が通過路２９の前方下方位置へ進出した状態となる。これにより、払出装置１１で払い出された遊技球Ｂは、遊技球通過規制装置２０の払出路２３を通過する際、その左右両側部がアーム３５によって挟持された状態となって停止するので、遊技球通過規制装置２０の払出口２２から流出することはない。したがって、前扉３が開放されたとき、遊技球Ｂが前扉３と本体枠２との間に零れ落ちることがなくなる。
【００７２】
以上のように本実施形態の遊技球通過規制装置２０は、払出路２３を通過する遊技球Ｂを整列させた状態で通過させる通過路２９と、その通過路２９において遊技球Ｂの側部が通過する位置に向かって進退可能なアーム３５とを備えた構成である。そして前扉３の閉鎖時には、前扉３からの押圧力によってアーム３５が通過路２９から退避することにより払出路２３を開放した状態となる。一方、前扉３の開放時には、アーム３５が通過路２９へ進出することにより通過路２９を通過する遊技球Ｂの側部を挟持して払出路２３からの流出を規制する状態となる。
【００７３】
このような遊技球通過規制装置２０は、従来のようなプレート状の開閉扉とは根本的に異なる構成となっており、遊技球を挟みこんでしまう可能性がない。そのため、開閉扉のように正常に閉鎖することができずに隙間を通る遊技球が本体枠と前扉との間に零れ落ちてしまうという現象は生じず、遊技球の挟み込みを防止するための機構を別途構築する必要もない。それ故、本実施形態の遊技球通過規制装置２０は、比較的簡単な構成としつつも、前扉３の開放時には本体枠２と前扉３との間に遊技球が零れ落ちてしまうことを良好に防止することが可能である。
【００７４】
また本実施形態の遊技球通過規制装置２０では、アーム３５が通過路２９の上方において通過路２９の横断方向に架設されるアーム支持体３４に支持される。このアーム支持体３４は、前後方向に傾斜したガイド孔２６に沿ってスライド移動可能であり、前扉３の開閉に伴ってガイド孔２６に沿ってスライド移動することによりアーム３５を通過路２９に向かって進退させる構成である。このような構成によれば、遊技球通過規制装置２０を簡単に、かつ、小規模に構成することができるので、部品コストや設置スペースなど点で優れている。
【００７５】
また本実施形態の遊技球通過規制装置２０では、アーム支持体３４が、前方側に突出する押圧部材３３を備えている。そして前扉３の閉鎖時には、押圧部材３３に作用する前扉３からの押圧力によって、アーム支持体３４がガイド孔２６の後方上部へスライド移動することによりアーム３５を通過路２９の後方上部へ退避させる。これに対し、前扉３の開放時には、アーム支持体３４がガイド孔２６の前方下部へスライド移動することによりアーム３５を通過路２９の前方下部へ進出させるようになっている。このような構成によれば、アーム３５が遊技球と咬み合ってしまうことを良好に防止することができるようになり、遊技球の零れ落ちをより一層効果的に防止することができる。
【００７６】
また本実施形態の遊技球通過規制装置２０では、アーム支持体３４がガイド孔２６に沿ってスライド移動することに伴って軸部材３１を中心に回動して姿勢を変化させる構成である。そしてアーム３５は、アーム支持体３４のスライド移動と姿勢変化とによって通過路２９において遊技球Ｂの側部が通過する位置に向かって進退する構成である。このような構成によれば、アーム３５の進退させる機構をより一層省スペースで実現可能である。
【００７７】
（第２の実施の形態）
次に第２の実施の形態における遊技球通過規制装置２０について説明する。上述した第１の実施の形態では、主として、前扉３が開閉されることに伴ってアーム支持体３４がガイド孔２６に沿ってスライド移動することでアーム３５を通過路２９に対して進退させる構成例について説明した。これに対し、本実施形態では、前扉３が開閉されることに伴ってアーム支持体３４が所定の回動軸周りに回動することにより、アーム３５を通過路２９に対して進退させる構成例について説明する。
【００７８】
図１５は、第２の実施の形態における遊技球通過規制装置２０の分解斜視図である。図１５では、上述した部材と同様の部材について同一符号を付している。以下、本実施形態の遊技球通過規制装置２０が第１の実施の形態で説明したものと異なる点について説明する。
【００７９】
本実施形態の遊技球通過規制装置２０は、本体部２１における支持部２４の左右側壁に、軸部材３１を回動可能に支持するための孔４５が設けられている。この孔４５は、第１の実施の形態におけるガイド孔２６のような長孔ではなく、円形の孔として形成される。軸部材３１は、この孔４５に回動可能に軸支される。また軸部材３１は、アーム支持体３４の孔３４ａに遊挿され、アーム支持体３４を回動可能に支持する。さらに遊技球通過規制装置２０の前方側に開口する払出口２２の上部は、本体部２１の上部壁２１ａが若干後方側に後退した状態に設けられている。
【００８０】
一方、アーム支持体３４は、第１の実施の形態と同様に、平板状の押圧部材３３と複数のアーム３５とを有している。本実施形態では、複数のアーム３５の基端部に、錘３６が取り付けられており、複数のアーム３５と錘３６とを合わせた総重量は、押圧部材３３の重量よりも重くなるように重量バランスが設定されている。尚、錘３６を設けることなくそのような重量バランスを実現可能である場合は、錘３６は特に必要でない。
【００８１】
また各アーム３５は、アーム支持体３４から所定長さの位置に屈曲部を有しており、アーム支持体３４が本体部２１の支持部２４に取り付けられた状態でその先端が払出口２２に向くようになっている。このような屈曲部はアーム３５に対して少なくとも１つであれば良いが、本実施形態ではアーム３５の１カ所に屈曲部が設けられている。このようなアーム３５は、本実施形態においても可撓性を有する部材によって構成される。
【００８２】
このようなアーム支持体３４を本体部２１の支持部２４に取り付ける際には、本体部２１の上方から、各アーム３５をスリット２７から通過路２９に進入させつつ、押圧部材３３の先端部を開口部３０から前方側に突き出させた状態にする。その状態で、アーム支持体３４の孔３４ａに軸部材３１が挿入される。
【００８３】
上記のようにしてアーム支持体３４が本体部２１の支持部２４に取り付けられることにより、アーム支持体３４は、通過路２９の上方において通過路２９を横断する方向に架設された状態となる。またアーム支持体３４は、軸部材３１に対して回動可能な状態に取り付けられる。このようにしてアーム支持体３４が本体部２１の支持部２４に取り付けられると、アーム支持体３４の押圧部材３３が開口部３０から前方側に所定長さ突出した状態となる。そして前扉３が開閉されることに伴ってアーム支持体３４が軸部材３１を中心に回動し、スリット２７から通過路２９に進入させたアーム３５を進退させることが可能になる。
【００８４】
図１６は、前扉３の開閉に伴って変化するアーム支持体３４の状態を示す拡大断面図である。図１６（ａ）は、前扉３が開放された状態を示しており、図１６（ｂ）は、前扉３が閉鎖された状態を示している。
【００８５】
まず、図１６（ａ）に示すように、前扉３が開放された状態では、押圧部材３３に前扉３からの押圧力は作用しない。そのため、アーム支持体３４は、アーム３５と錘３６との重量によって軸部材３１の周りを図中右回り方向（時計回り方向）へ回動し、押圧部材３３の上面が正面壁３０ａの下端部に当接した状態で静止する。このとき、アーム３５の先端部は通過路２９において前方側の下部に進出した状態となる。この状態は、遊技球が通過路２９を通過することを禁止する状態となる。したがって、この状態で遊技球が通過路２９に流入してくると、その遊技球はアーム３５の先端部によって挟持される。
【００８６】
一方、図１６（ｂ）に示すように、前扉３が閉鎖されると、押圧部材３３には前扉３からの押圧力が作用する。そのため、アーム支持体３４は、その押圧力によって軸部材３１の周りを図中左周り方向（反時計回り方向）へ回動し、押圧部材３３の下面が本体部２１の上部壁２１ａの前端部に当接した状態で静止する。尚、このような回動を実現するために正面壁３０ａの下端部は、軸部材３１の中心位置よりも低い位置に設定される。
【００８７】
図１６（ｂ）に示すような状態になると、アーム３５の先端部は通過路２９において後方側の上部に退避した状態となる。この状態は、遊技球が通過路２９を通過することを許容する状態となる。したがって、この状態で遊技球が通過路２９に流入してくると、その遊技球はアーム３５の先端部とは干渉せずに払出口２２から流出する。
【００８８】
その後、再び前扉３が開放されると、アーム支持体３４は、アーム３５と錘３６との重量によって軸部材３１の周りを図中右回り方向（時計回り方向）へ回動し、図１６（ａ）に示す状態となるので、払出口２２からの遊技球の流出が防止されるようになる。
【００８９】
このように本実施形態では、遊技球通過規制装置２０において、遊技球を挟持するアーム３５が通過路２９の上方において通過路２９の横断方向に架設されるアーム支持体３４に支持されており、そのアーム支持体３４は、所定の回動軸周りに回動可能な構成である。そして前扉３の開閉に伴ってアーム支持体３４が回動軸周りに回動することによりアーム３５を、遊技球の側部が通過する位置に向かって進退させるようになっている。
【００９０】
またアーム支持体３４は、払出路２３の払出口２２よりも前方側に突出する押圧部材３３を有しており、前扉３の閉鎖時に押圧部材３３に作用する前扉３からの押圧力により回動軸周りの所定方向（反時計回り方向）へ回動することによりアーム３５を通過路の後方側上部へ退避させ、前扉３の開放時に回動軸周りの所定方向とは逆の方向（時計回り方向）へ回動することによりアーム３５を通過路２９の前方側下部へ進出させるように構成されている。
【００９１】
したがって、本実施形態においても、第１の実施の形態と同様に、アーム３５が遊技球と咬み合ってしまうことを良好に防止することができるようになり、前扉３が開放されたときに遊技球が零れ落ちてしまうことを良好に防止することが可能である。
【００９２】
尚、本実施形態において上述した構成以外の部分は、第１の実施の形態と同様である。そのため、それらの部分については第１の実施の形態と同様の作用効果が得られる。
【００９３】
（変形例）
以上、本発明に関する一実施形態について説明したが、本発明は上述した内容に限られるものではない。すなわち、本発明には上述したもの以外にも種々の変形例が適用可能である。
【００９４】
例えば、上述した実施形態では、アーム３５は屈曲した略Ｌ字状の構成である場合を例示したが、これに限られるものではない。すなわち、アーム３５は、略直線状のものであっても良いし、その他の形状であっても構わない。
【符号の説明】
【００９５】
１  遊技機
２  本体枠
３  前扉
７  貯留皿
１１  払出装置
１２  遊技盤
２０  遊技球通過規制装置
２１  本体部
２２  払出口
２８  ガイドレール
２９  通過路
３１  軸部材（回動軸）
３３  押圧部材
３４  アーム支持体
３５  アーム
Ｂ  遊技球
【図１】
0005467920.tif 000002
【図２】
0005467920.tif 000003
【図３】
0005467920.tif 000004
【図４】
0005467920.tif 000005
【図５】
0005467920.tif 000006
【図６】
0005467920.tif 000007
【図７】
0005467920.tif 000008
【図８】
0005467920.tif 000009
【図９】
0005467920.tif 000010
【図１０】
0005467920.tif 000011
【図１１】
0005467920.tif 000012
【図１２】
0005467920.tif 000013
【図１３】
0005467920.tif 000014
【図１４】
0005467920.tif 000015
【図１５】
0005467920.tif 000016
【図１６】
0005467920.tif 000017